(57)【要約】  【課題】  プラスイオン及びマイナスイオンを発生し得ると共に、発生されたイオンの送出手段としての機能を併せ持つイオン発生装置を提供する。【解決手段】  モータ３からの伝動により回転する回転体10の周面に第１電極１を設け、この回転体10の周方向の一か所において第１電極１と対向するように第２電極２を配し、第１電極１と第２電極２とを昇圧回路41に接続し、回転体10を回転させつつ第１，第２電極１，２間に高圧の交番電圧を印加して、第１，第２電極１，２間に発生するプラスイオン及びマイナスイオンを、回転体10の回転により第１，第２電極１，２間に生じる気流の作用により送出する構成とする。【選択図】      図１
2005268053.tif 000002
【特許請求の範囲】
【請求項１】
相対向する第１電極と第２電極との間に電圧を印加することにより、プラスイオンとマイナスイオンとを発生するイオン発生装置において、
前記第１電極は、回転体の表面に設けてあることを特徴とするイオン発生装置。
【請求項２】
前記回転体は、その回転に応じて径方向又は軸方向に流れる気流を発生させる羽根を備える請求項１記載のイオン発生装置。
【請求項３】
前記回転体は、ディスク形の記録媒体であり、前記第１電極は、前記記録媒体の非記録面に設けてある請求項１記載のイオン発生装置。
【請求項４】
前記回転体は、ディスク形の記録媒体の回転駆動源からの伝動により、前記記録媒体と同軸上にて回転するディスクである請求項１又は請求項２記載のイオン発生装置。
【請求項５】
前記回転体は、偏心錘の回転により振動を発生する携帯機器用加振装置の回転駆動源からの伝動により回転する構成としてある請求項１又は請求項２記載のイオン発生装置。
【請求項６】
前記回転駆動源からの伝動を、前記偏心錘と前記回転体とに切り換える手段を備える請求項５記載のイオン発生装置。
【請求項７】
前記回転体の回転円周上での第１電極と第２電極との対向間隔を略一定に保つ電極間隔維持手段を備える請求項１乃至請求項６のいずれか１つに記載のイオン発生装置。
【請求項８】
前記電極間隔維持手段は、前記第２電極を前記第１電極に対する接離移動可能に支持する支持部を備え、前記回転体の回転に応じて第１，第２電極間に発生する気流の作用により第２電極を移動させて第１電極との対向間隔を維持する構成としてある請求項７記載のイオン発生装置。
【請求項９】
前記第１電極及び第２電極は、夫々との対向面を覆う誘電体層を備える請求項１乃至請求項８のいずれか１つに記載のイオン発生装置。
【請求項１０】
前記第１電極は、前記回転体の回転円周上に複数配してあり、夫々の第１電極が前記第２電極に対向するタイミングにてプラスイオンとマイナスイオンとの発生タイミングを切り換える手段を備える請求項１乃至請求項９のいずれか１つに記載のイオン発生装置。
【請求項１１】
前記第１電極及び第２電極への印加電圧、並びに前記回転体の回転駆動源の電源は、搭載された機器の外部接続端子から供給されるようになしてある請求項１乃至請求項１０のいずれか１つに記載のイオン発生装置。
【請求項１２】
前記第１電極及び第２電極への電圧の印加を、前記回転体の回転開始に遅れて開始させる制御手段を備える請求項１乃至請求項１１のいずれか１つに記載のイオン発生装置。
【発明の詳細な説明】
【技術分野】
【０００１】
本発明は、プラスイオンとマイナスイオンとを発生可能に構成されたイオン発生装置に関する。
【背景技術】
【０００２】
空間内に浮遊する微粒子、細菌等の浮遊物を除去し、清浄な空間を実現するための装置として、略同量のプラスイオンとマイナスイオンとを発生し、空間中に送出する構成としたイオン発生装置が実用化されている（例えば、特許文献１参照）。
【０００３】
このイオン発生装置は、相対向する第１電極及び第２電極を備えており、これらの間に高圧の交番電圧を印加してプラズマ放電を生ぜしめ、空気中の水蒸気をイオン化させて、例えば、第１電極から第２電極への正電圧の印加時にプラスイオンを発生し、同じく負電圧の印加時にマイナスイオンを発生する構成となっている。このように発生されたプラスイオン及びマイナスイオンは、水素イオン（Ｈ+ ）又は酸素イオン（Ｏ2 - ）の周囲に水分子が付随したクラスターイオンの形態をなして送り出され、送出空間内の浮遊物を捕捉除去し、該空間を清浄化する作用をなす。
【０００４】
このようなイオン発生装置は、発生されたプラスイオンとマイナスイオンとを対象空間内に送り出すための手段が別途必要であり、空気調和機、冷蔵庫、掃除機等、気流を発生するためのファンを備える機器に適用する場合、このファンの起風をイオン送出のために利用するようにしている。
【０００５】
一方、ケース内にて回転するファンを負のアース電極とし、ケースを正の電極として、これらの電極間に電圧を印加することによりイオンを発生する構成とし、イオン発生装置を兼ねた送風機が提案されている（例えば、特許文献２参照）。
【特許文献１】特開２００３−４５６１１号公報
【特許文献２】特開平１−１９０９９２号公報
【発明の開示】
【発明が解決しようとする課題】
【０００６】
さて、プラスイオン及びマイナスイオンを発生するイオン発生装置は、前述の如く、クラスターイオンとして送り出されるイオンが、送出先にて浮遊物を捕捉除去する作用をなすことから、建物の居室内、車両の車室内等の一般的な適用の外に、前記冷蔵庫、掃除機等の種々の機器の内部空間及び周辺空間の清浄化手段としての適用が進められている。
【０００７】
一方、機器の内部空間及び周辺空間の清浄化は、光ディスク装置、磁気ディスク装置等の記録機器、携帯電話、ＰＤＡ（Personal Digital Assistant）等の携帯機器においても切望されているが、特許文献１に開示されたイオン発生装置は、発生したイオンを空間内に送り出し、拡散せしめるための手段を有していないことから、前記記録機器、携帯機器への適用が難しいという問題がある。
【０００８】
特許文献２に開示された装置は、送出手段としてのファンの一部を利用してイオン発生装置が構成されており、送出手段を別途必要としないという利点を有するが、ファンの設置が前提となっており、記録機器、携帯機器等の小型の機器への適用は困難である。
【０００９】
本発明は斯かる事情に鑑みてなされたものであり、プラスイオン及びマイナスイオンを発生し得ると共に、発生されたイオンの送出手段としての機能を併せ持ち、特に、記録機器、携帯機器等の小型の機器の内部空間及び周辺空間の清浄化に有効に利用することができるイオン発生装置を提供することを目的とする。
【課題を解決するための手段】
【００１０】
本発明に係るイオン発生装置は、相対向する第１電極と第２電極との間に電圧を印加することにより、プラスイオンとマイナスイオンとを発生するイオン発生装置において、前記第１電極は、回転体の表面に設けてあることを特徴とする。
【００１１】
本発明においては、第１電極を回転体の表面に設けて第２電極と対向させ、第１，第２電極間への電圧の印加により発生するプラスイオン及びマイナスイオンを、回転体の回転に伴って第１，第２電極間に発生する気流の作用により搭載機器の内部空間及び周辺空間に送り出し、送出空間内に拡散させる。
【００１２】
また本発明に係るイオン発生装置は、前記回転体が、その回転に応じて径方向又は軸方向に流れる気流を発生させる羽根を備えることを特徴とする。
【００１３】
この発明においては、回転体に羽根を設け、この羽根の作用により回転体の回転に伴って気流を生ぜしめ、プラスイオン及びマイナスイオンの送出及び拡散を促進する。
【００１４】
また本発明に係るイオン発生装置は、前記回転体が、ディスク形の記録媒体であり、前記第１電極は、前記記録媒体の非記録面に設けてあることを特徴とし、また前記回転体が、ディスク形の記録媒体の回転駆動源からの伝動により、前記記録媒体と同軸上にて回転するディスクであることを特徴とする。
【００１５】
この発明においては、光ディスク、磁気ディスク等のディスク形の記録媒体を備える記録機器に適用する場合、記録媒体の非記録面に第１電極を設け、該記録媒体の回転を気流の発生に利用し、また記録媒体の回転駆動源からの伝動により回転するディスクを記録媒体と同軸に設け、このディスクに第１電極を設けて、記録媒体の回転駆動源を気流の発生に利用して、部品の共用化を図りつつプラスイオン及びマイナスイオンを機器の内部空間及び周辺空間に送り出す。
【００１６】
また本発明に係るイオン発生装置は、前記回転体が、偏心錘の回転により振動を発生する携帯機器用加振装置の回転駆動源からの伝動により回転する構成としてあることを特徴とし、更に、前記回転駆動源からの伝動を、前記偏心錘と前記回転体とに切り換える手段を備えることを特徴とする。
【００１７】
この発明においては、携帯電話、ＰＤＡ等の携帯機器に適用する場合、これらの携帯機器に受信報知のために一般的に備えられている加振装置の回転駆動源を利用し、この回転駆動源からの伝動により回転する回転体に第１電極を設けて、部品の共用化を図りつつプラスイオン及びマイナスイオンを機器の内部空間及び周辺空間に送り出す。また回転駆動源の正逆転等を利用して、回転体の回転と振動発生のための偏心錘の回転とを切換え、加振装置の非動作時においてもイオン送出を可能とする。
【００１８】
また本発明に係るイオン発生装置は、前記回転体の回転円周上での第１電極と第２電極との対向間隔を略一定に保つ電極間隔維持手段を備えることを特徴とし、更に、前記電極間隔維持手段は、前記第２電極を前記第１電極に対する接離移動可能に支持する支持部を備え、前記回転体の回転に応じて第１，第２電極間に発生する気流の作用により第２電極を移動させて第１電極との対向間隔を維持する構成としてあることを特徴とする。
【００１９】
この発明においては、例えば、薄肉の板ばねにより第２電極を支持し、板ばねの撓みを伴って第１電極への接離移動を可能として、第１電極が設けられた回転体の回転により発生する気流の作用により第２電極を移動させて第１電極との対向間隔を略一定に保ち、高精度の組み立てを要することなく安定したイオン発生を行わせる。
【００２０】
また本発明に係るイオン発生装置は、前記第１電極及び第２電極が、夫々との対向面を覆う誘電体層を備えることを特徴とする。
【００２１】
この発明においては、第１，第２電極の夫々との対向面に誘電体層を被着し、電極間の静電容量を高めて、イオン発生のためのプラズマ放電に伴う電極の劣化を抑制し、また誤った接触による感電及び装置破壊の虞れを未然に回避する。
【００２２】
また本発明に係るイオン発生装置は、前記第１電極が、前記回転体の回転円周上に複数配してあり、夫々の第１電極が前記第２電極に対向するタイミングにてプラスイオンとマイナスイオンとの発生タイミングを切り換える手段を備えることを特徴とする。
【００２３】
この発明においては、プラスイオン及びマイナスイオンの発生タイミングを分離して、イオン相互間の相殺を減じ、小型の装置においても高効率でのイオン発生を行わせる。プラスイオンとマイナスイオンとの発生タイミングの切換えは、例えば、第１，第２電極への印加電圧の方向を、回転体の回転周期に合わせて切り換えることにより達成される。
【００２４】
また本発明に係るイオン発生装置は、前記第１電極及び第２電極への印加電圧、並びに前記回転体の回転駆動源の電源が、搭載機器の外部接続端子から供給されるようになしてあることを特徴とする。
【００２５】
この発明においては、搭載機器の外部接続端子を電源供給に利用し、専用の電源を必要とせずにイオン発生を行わせる。
【００２６】
更に本発明に係るイオン発生装置は、前記第１電極及び第２電極への電圧の印加を、前記回転体の回転開始に遅れて開始させる制御手段を備えることを特徴とする。
【００２７】
この発明においては、回転体の回転開始直後は第１，第２電極に電圧を印加せず、回転開始により発生する気流の作用により第１、第２電極に付着する異物を除去し、また電極間隔維持手段を備える構成においては、第２電極を移動させて第１電極との間の対向間隔が確保された後に電圧を印加し、イオン発生動作を開始させる。
【発明の効果】
【００２８】
本発明に係るイオン発生装置においては、回転体の表面に第１電極を設け、回転周上にて対向する第２電極との間にてイオン発生を行わせるから、回転体の回転に伴って第１，第２電極間に発生する気流の作用により発生されたプラスイオン及びマイナスイオンを周辺空間に送り出すことができ、送出手段を不要とした簡素な構成により、省電力下にて空間の清浄化機能を果たすことが可能となり、特に、記録機器、携帯機器等の小型の機器の内部空間及び周辺空間の清浄化のために有効に利用することができる。
【００２９】
また回転体に羽根を設けたから、回転体の回転に伴って第１，第２電極間に発生する気流を強化することができ、電極間に発生するプラスイオン及びマイナスイオンの送出効果を高めることができる。
【００３０】
またディスク形の記録媒体を備える記録機器への適用において、記録媒体自体を回転体として利用し、又は記録媒体の回転駆動源（モータ）を回転体の回転駆動源に兼用したから、部品の共用化により配設スペースの削減を図ることができる。
【００３１】
また加振装置を備える携帯機器への適用において、加振用の偏心錘の回転駆動源（モータ）を回転体の回転駆動源に兼用したから、部品の共用化により配設スペースの削減を図ることができ、更に、回転駆動源からの伝動を偏心錘と回転体とに切り換え可能としたから、加振装置の非動作時においてもイオン発生及び送出を行わせることができる。
【００３２】
また回転体に設けた第１電極に対して第２電極を接離可能に支持し、第１，第２電極の対向間隔を、回転体の回転に伴って発生する外力、例えば、第１，第２電極間に発生する気流からの作用力により維持可能に構成したから、両電極間でのプラスイオン及びマイナスイオンの発生を、高い組み立て精度を要求されることなく安定して実現することができる。
【００３３】
また第１電極及び第２電極の夫々との対向面を誘電体層により覆ったから、プラズマ放電に伴う電極の劣化を抑制して長寿命化に寄与することができる上、電極表面への誤った接触による感電及び装置破壊の発生を未然に防止することができる。
【００３４】
また回転体の回転円周上に複数の第１電極を設け、第２電極との対向位置の通過タイミングに合わせてプラスイオンとマイナスイオンとの発生タイミングを切換える構成としたから、プラスイオンとマイナスイオンとがタイムラグを有して発生され、両イオンの相殺程度を軽減して高効率でのイオン発生を行わせることができる。
【００３５】
また搭載機器の外部接続端子を電源供給に利用したから、専用の電源を備える必要がなく、特に、記録機器、携帯機器等の小型の機器への適用範囲を拡げることができる。
【００３６】
更に第１，第２電極への電圧の印加を回転体の回転開始に遅れて開始させるから、回転体の回転により発生する気流の作用により、電極表面に付着する結露、塵埃等の異物が電圧印加に先立って除去され、省電力化及び長寿命化に寄与することが可能となり、また、第１，第２電極間の電極間隔維持手段を備える構成においては、電圧の印加に先立って第２電極を移動させ、第１電極との間の対向間隔を適正に確保することができ、短絡事故の発生を未然に防止することが可能となる等、本発明は優れた効果を奏する。
【発明を実施するための最良の形態】
【００３７】
以下本発明をその実施の形態を示す図面に基づいて詳述する。図１は、本発明に係るイオン発生装置の第１の実施の形態を示す模式図であり、（ａ）は側面図、（ｂ）は平面図である。
【００３８】
本図に示すイオン発生装置は、短寸円筒形をなす回転体10の外周面に設けた第１電極１と、回転体10の周方向の一か所において第１電極１と対向するように配された第２電極２とを備えている。回転体10は、軸心部を貫通する回転軸11を介してモータ３の出力端に連結されている。
【００３９】
図中４は、昇圧回路40、制御部41及びモータ駆動回路42を備える電源回路である。昇圧回路40は、第１，第２電極１，２に接続されており、該第１，第２電極１，２間には、制御部41からの制御指令に従って昇圧回路40が発生する高圧の交番電圧が印加される。またモータ駆動回路42は、モータ３に接続されており、該モータ３は、制御部41からの制御指令に従ってモータ駆動回路42が発生するモータ電流の給電により回転駆動され、該モータ３の回転が回転軸11を介して回転体10に伝えられ、該回転体10が、図中に矢符にて示す如く回転せしめられる。
【００４０】
図示のイオン発生装置は、モータ３からの伝動により回転体10を回転させ、第１電極１と第２電極２との間に交番電圧を印加して使用される。このとき、回転体10の周上にて対向する第１，第２電極１，２の間には、プラズマ放電が生じ、空気中の水蒸気がイオン化せしめられ、正電圧の印加時にプラスイオンが、また負電圧の印加時にマイナスイオンが夫々発生する。一方、第１，第２電極１，２の対向部間には、回転体10の回転により、図中に白抜矢符にて示す如く、回転方向の上流側から下流側に向かう気流が発生し、この気流の作用により前述の如く発生するプラスイオン及びマイナスイオンが周辺に送り出される。
【００４１】
従って、このようなイオン発生装置を各種機器に設置した場合、第１電極１と第２電極２との間に発生するプラスイオン及びマイナスイオンが、機器の内部空間及び周辺空間に拡散され、前述の如く、塵埃、細菌等の浮遊物を捕捉除去する作用をなし、内部空間及び周辺空間を良好に清浄化することができる。このような清浄化は、専用の送出手段を不要とした簡素な構成により、省電力下にて実現することができ、特に、記録機器、携帯機器等の小型の機器に有効に利用することができる。
【００４２】
第１電極１及び第２電極２は、プラズマ放電に伴うスパッタの影響を軽減するために、タングステン、ステンレス鋼、又は表面に金メッキが施された金属材料製とするのが望ましい。また、回転体10と共に回転する第１電極１と昇圧回路40との接続は、回転軸11の支持部の周上に設定され、炭素材料等の導電材料からなる接点を介してなされている。
【００４３】
図２は、本発明に係るイオン発生装置の第２の実施の形態を示す模式図であり、（ａ）は側面図、（ｂ）は平面図である。本図に示すイオン発生装置においては、短寸円筒形をなす回転体10の軸長方向一側の端面に第１電極１が設けられており、第２電極２は、基台21に立設された支持脚20の先端部に第１電極１に対向するように固定支持されている。また第１電極１と昇圧回路40との接続は、前記端面の一部に摺接する接点を介してなされている。他の部分の構成は、第１の実施の形態と同様であり、対応する構成部材に図１と同一の参照符号を付して構成の説明を省略する。
【００４４】
本図に示すイオン発生装置も、モータ３からの伝動により回転体10を回転させ、第１電極１と第２電極２との間に交番電圧を印加して使用される。このとき、回転体10の一側にて対向する第１，第２電極１，２の間にプラズマ放電が生じ、空気中の水蒸気がイオン化せしめられてプラスイオン及びマイナスイオンが発生する一方、第１，第２電極１，２の対向部間、及び回転体10の周面と第２電極２の基台21との対向面間に、回転体10の回転により、図中に白抜矢符にて示す如く気流が発生し、この気流の作用により前述の如く発生するプラスイオン及びマイナスイオンが周辺空間に送り出される。
【００４５】
図３は、本発明に係るイオン発生装置の第３の実施の形態を示す模式図であり、（ａ）は側面図、（ｂ）は平面図である。本図に示すイオン発生装置においては、短寸円筒形をなす回転体10の周面に設けられた第１電極１と昇圧回路40との接続が、前記周面に摺接する接点を介してなされている点を除いて第１の実施の形態と同様であり、対応する構成部材に図１と同一の参照符号を付して構成及び動作の説明を省略する。
【００４６】
図４〜図６は、本発明に係るイオン発生装置の第４の実施の形態を示す模式図であり、（ａ）は側面図、（ｂ）は平面図である。これらの図に示すイオン発生装置は、第１電極１を設けた回転体10に夫々羽根５が備えられている。
【００４７】
図４においては、２枚の対向円板間に放射状をなして６枚の羽根５，５…を架設して回転体10を構成し、該回転体10の外周に各羽根５，５…間に形成された６か所の開口部のうち、１つ置きに位置する３か所の開口部の夫々を塞ぐように第１電極１，１…が設けられている。これらの電極１，１…と昇圧回路40との接続は、第１の実施の形態と同様、回転軸11の支持部の周上に設定された接点を介してなされている。
【００４８】
図５においては、第１の実施の形態と同様、短寸円筒形をなす回転体10の外周面に第１電極１を設け、この回転体10の軸方向両側の端面に、径方向に対して適宜の角度だけ同向きに傾斜するように、各４枚の羽根５，５…を等配してある。第１電極１と昇圧回路40との接続は、第１の実施の形態と同様、回転軸11の支持部の周上に設定された接点を介してなされているが、図３に示す如く、回転体10の外周に直接摺接する接点を介して接続を実現してもよい。
【００４９】
図６においては、第２の実施の形態と同様、短寸円筒形をなす回転体10の一側端面に第１電極１を設け、この回転体10の周面に、軸方向に対して適宜の角度だけ同向きに傾斜するように４枚の羽根５，５…を等配してある。第２の電極２は、第２の実施の形態と同様、基台21に立設された支持脚20の先端部に第１電極１の形成端面に対向するように固定支持されており、また第１電極１と昇圧回路40との接続は、第１電極１の形成端面の一部に摺接する接点を介してなされている。
【００５０】
なお他の部分の構成は、第１の実施の形態と同様であり、対応する構成部材に図１と同一の参照符号を付して構成の説明を省略する。以上の如く構成されたイオン発生装置は、モータ３からの伝動により回転体10を回転させ、第１電極１と第２電極２との間に交番電圧を印加して使用される。
【００５１】
これにより、第１，第２電極１，２の対向部間にプラスイオン及びマイナスイオンが発生すると共に、回転体10の回転により、図４及び図５に示すイオン発生装置においては、回転体10の周上にて対向する第１，第２電極１，２の間に、図６に示すイオン発生装置においては、回転体10の一側において対向する第１，第２電極１，２の間に、夫々の図中に白抜矢符にて示す如く気流が発生し、また回転体10に備えられた羽根５，５…の作用により、図４及び図５に示すイオン発生装置においては、回転体10の中心部から外側に向かう気流が、また図６に示すイオン発生装置においては、回転体10の軸方向の一側から他側に向かう気流が、夫々の図中に黒塗矢符にて示す如く発生する。
【００５２】
従って、図４〜図６に示すイオン発生装置を各種機器の内部空間に設置した場合、第１電極１と第２電極２との間に発生するプラスイオン及びマイナスイオンが、夫々の第１，第２電極１，２間に発生する気流、及び夫々の羽根５，５…の作用により発生する気流により機器の内部空間及び周辺空間に送出され、塵埃、細菌等の浮遊物を捕捉除去する作用をなし、前記内部空間及び周辺空間を有効に清浄化することができる。このとき、プラスイオン及びマイナスイオンの送出が、夫々の回転体10に設けた羽根５，５…の作用により促進され、送出されたイオンが広範囲に拡散するから、比較的大型の機器にも適用することができる。
【００５３】
図７は、本発明に係るイオン発生装置の第５の実施の形態を示す模式図であり、（ａ）は側面図、（ｂ）は平面図である。本図に示すイオン発生装置においては、短寸円筒形をなす回転体10の外周面に設けた第１電極１と、回転体10の周方向の一か所において第１電極１と対向するように配された第２電極２とを備えており、更に、これらの第１，第２電極１，２の表面を覆うように誘電体層６，６が被着されている。この誘電体層６，６は、例えば、第１，第２電極１，２の表面にアルミナ（Ａｌ2 Ｏ3 ）分散液を塗布し、焼成することにより、簡易に形成することができる。他の部分の構成は、第１の実施の形態と同様であり、対応する構成部材に図１と同一の参照符号を付して構成の説明を省略する。
【００５４】
本図に示すイオン発生装置も、モータ３からの伝動により回転体10を回転させ、第１電極１と第２電極２との間に交番電圧を印加して使用される。このとき、回転体10の回転周上にて対向する第１，第２電極１，２の間にプラズマ放電が生じてプラスイオン及びマイナスイオンが発生し、また回転体10の回転により、第１，第２電極１，２の対向部間に図中に白抜矢符にて示す如く気流が発生し、この気流の作用により前述の如く発生するプラスイオン及びマイナスイオンが周辺空間に送り出される。
【００５５】
ここで、第１，第２電極層１，２の表面を被覆する誘電体層６，６は、プラズマ放電に伴う第１，第２電極１，２の劣化を抑制し、また高電圧が印加される第１，第２電極１，２の表面への誤った接触を防止する作用をなすから、イオン発生装置の長寿命化を図ることができ、また感電事故及び装置破壊の発生を未然に防止することができる。なお、誘電体層６，６を高誘電率を有する材料製とすることにより、第１，第２電極１，２の対向面積が小さい場合であっても大なる静電容量を確保することができ、第１，第２電極１，２間での放電、及びイオン発生を良好に行わせることができる。
【００５６】
なお、このような誘電体層６，６による被覆は、第１〜第４の実施の形態に示すイオン発生装置における夫々の第１，第２電極１，２に対して全く同様に実施することができ、また以下に示す実施の形態においても実施可能である言うまでもない。
【００５７】
図８は、本発明に係るイオン発生装置の望ましい運転方法の説明図である。本図に示すイオン発生装置の構成は、図４に示すイオン発生装置と同一であり、回転体10の周面に、周方向に等配をなして３つの第１電極１，１，１が設けられている。このようなイオン発生装置において、回転体10を回転させた場合、第１電極１，１，１は、所定の周期毎に第２電極２との対向位置を通過する。図８（ａ）は、図中のａ領域に設けられた第１電極１が第２電極２と対向した状態を示しており、この状態から回転体10が回転した場合、図８（ｃ）に示す如く、図中のｃ領域に設けられた次の第１電極１が第２電極２と対向するまでの間に、図８（ｂ）に示す如く、ａ領域とｃ領域との間に位置し、第１電極１が設けられていないｂ領域が第２電極２と対向する状態が出現する。
【００５８】
このようなイオン発生装置において、第１電極１，１，１の夫々が第２電極２との対向位置を通過する周期は略一定であり、この周期と、第１電極１と第２電極２との間に印加される交番電流が正逆に転換する周期とを一致させる運転を実施することができ、このようにした場合、例えば、図８（ａ）に示す状態にあるとき、第１電極１から第２電極２への正電圧の印加によりプラスイオンのみが発生し、図８（ｂ）に示す状態にある間の印加電圧の切換えを経て、図８（ｃ）に示す状態にあるとき、同じく負電圧の印加によりマイナスイオンのみが発生することとなる。
【００５９】
これにより、プラスイオン及びマイナスイオンの発生タイミングが分離され、また、夫々の第１電極１，１，１間に前記羽根５，５，５により発生する気流の吹き出しがなされるから、夫々のタイミングにて発生するプラスイオンとマイナスイオンとの相殺作用を軽減することができ、イオン発生の効率が高められ、小型の装置においても十分な量のイオンを発生させ、効率良く拡散させることができる。
【００６０】
同様の運転は、図１〜図３及び図５〜図７に示すイオン発生装置においても、回転体10の回転周上に複数の第１電極１，１…を並設し、これらが第２電極２との対向位置を通過するタイミングに合わせてプラスイオンとマイナスイオンとの発生タイミングを切換えることにより実現される。イオン発生タイミングの切換えは、昇圧回路40及びモータ駆動回路42を制御する制御部41の動作によって行わせることができる。
【００６１】
図９は、本発明に係るイオン発生装置の第６の実施の形態を示す模式図であり、（ａ）は側面図、（ｂ）は平面図である。本図に示すイオン発生装置は、携帯電話、ＰＤＡ等の携帯機器に受信報知のために備えられている加振装置の回転駆動源を回転体10の回転のために利用している。
【００６２】
図において加振装置７は、回転駆動源としてのモータ70と、該モータ70の一側に突出するモータ軸72に固着された偏心錘71とを備え、モータ70からの伝動により生じる偏心錘71の回転により振動を発生する公知の構成を有している。イオン発生装置は、モータ70の他側へのモータ軸72の突出部に円板形の回転体10を取り付け、この回転体10の外周に設けた第１電極１と、周方向の一か所にて第１電極１に対向する第２電極２とを、第１の実施の形態と同様に備えて構成されている。なお電源部４は、第１，第２電極１，２に接続された昇圧回路40と、該昇圧回路40を制御する制御部41とを備えて構成されており、モータ70の駆動制御は、携帯機器の制御部の動作により行われる。
【００６３】
このように構成されたイオン発生装置においては、受信報知のために加振装置７が動作する都度、プラスイオン及びマイナスイオンが発生され、これらが携帯機器の内部空間内に拡散され、また周辺空間に送出されて、塵埃等の浮遊物を捕捉除去する作用をなし、内部空間及び周辺空間を清浄に保つことができる。また、加振装置７のモータ70をイオン発生装置の回転体10の駆動に利用したから、部品の共用化により携帯機器内部の限定された空間内に配設することが可能となる。回転体10を円板形としてあるのも、配設スペースの削減のためであり、十分な配設スペースが確保し得る場合には、第１〜第５の実施の形態と同様、円筒形の回転体10を備える構成としてもよい。
【００６４】
またこの実施の形態において、例えば、モータ70の両側へのモータ軸72の突出部に一方向クラッチを設け、夫々の一方向クラッチの係合により、モータ70の正転時には偏心錘71が回転し、モータ70の逆転時にはイオン発生装置の回転体10が回転するように構成することができる。この構成によれば、加振装置７の動作の如何に拘らずイオン発生装置を動作させ、適宜のタイミングにて前述した清浄化作用を行わせることが可能となる。
【００６５】
図10は、本発明に係るイオン発生装置の第７の実施の形態を示す模式図であり、（ａ）は側面図、（ｂ）は平面図である。本図に示すイオン発生装置においては、円板形をなす回転体10の一面に第１電極１が設けられており、また第２電極２は、基部を固定された薄肉の板ばね22の先端部に支持され、第１電極１に対向せしめられている。第２電極２を支持する板ばね22は、回転体10の一面に設けられた第１電極１に接離する方向、即ち、図10（ａ）における上下方向への撓み変形が可能としてある。他の部分の構成は、第１の実施の形態と同様であり、対応する構成部材に図１と同一の参照符号を付して構成の説明を省略する。
【００６６】
本図に示すイオン発生装置も、モータ３からの伝動により回転体10を回転させ、第１電極１と第２電極２との間に交番電圧を印加して使用される。このとき、回転体10の一側にて対向する第１，第２電極１，２の間にプラズマ放電が生じ、空気中の水蒸気がイオン化せしめられてプラスイオン及びマイナスイオンが発生する一方、回転体10の回転により、第１，第２電極１，２の対向部間に、図中に白抜矢符にて示す如く気流が発生し、この気流の作用により前述の如く発生するプラスイオン及びマイナスイオンが周辺空間に送り出される。
【００６７】
また、回転体10の回転により第１，第２電極１，２の対向部間に気流が発生し、この気流の作用により、第１，第２電極１，２は相互に離反する向きに付勢される。ここで第２電極２は、前述した撓み変形が可能な板ばね22により支持されており、この板ばね22の撓みを伴って第１電極１から離れる向きに移動せしめられ、第１電極１との間に略一定のエアギャップを隔てた位置にて平衡し、この位置を維持することとなる。従って、第１，第２電極１，２間の間隔は、高精度の組み立てを要することなく、また第１電極１の形成面の面振れの影響を受けることなく略一定に維持され、第１，第２電極１，２間での前述したイオン発生を安定して行わせることができる。
【００６８】
以上の如き第２電極２の支持は、第１〜第６の実施の形態においても、第１電極１との間隔を略一定に維持するための電極間隔維持手段として同様に実施することができ、安定したイオン発生を行わせ得るという効果が得られる。なお第２電極２の支持構造は、前記板ばね22による支持に限らず、第１電極１との対向面に対して接離移動が可能であれば他の支持構造を採用することが可能である。
【００６９】
図11は、本発明に係るイオン発生装置の第８の実施の形態を示す模式図、図12は、本発明に係るイオン発生装置の第９の実施の形態を示す模式図であり、両図における（ａ）は側面図を示し、（ｂ）は平面図を示している。
【００７０】
図10に示す板ばね22による第２電極２の支持構造は、記録媒体としての磁気ディスクを用いる記録機器において、記録又は再生用の磁気ヘッドを磁気ディスクの記録面に対して一定の間隔を保って支持すべく採用されている支持構造である。図11及び図12に示すイオン発生装置は、図10に示す支持構造を採用し、磁気ディスク、光ディスク等のディスク形の記録媒体を備える記録機器に好適な構成例を示すものであり、図11においては、記録媒体自体を回転体10として利用し、図12においては、記録媒体の回転駆動源を回転体10の回転のために利用している。
【００７１】
図11において記録機器８は、外函80の内部に回転駆動源としてのモータ81と、該モータ80の一側に突出するモータ軸82に取り付けられた記録ディスク83と、この記録ディスク83の一面（記録面）に近接支持された記録再生ヘッド84とを備え、モータ81からの伝動により回転する記録ディスク83の記録面に沿って記録再生ヘッド84を径方向に移動させ、夫々の移動位置にて情報の記録又は再生を行う公知の構成を有している。なお図示の装置は、磁気を利用して記録を行うハードディスク装置であり、記録再生ヘッド84は、薄肉の板ばねを用いてなる支持部材（ジンバル）85により、記録面との間にわずかなエアギャップ保って支持されており、この記録再生ヘッド84の移動機構の図示は省略してある。
【００７２】
記録ディスク83の他面（非記録面）は、遮蔽板86により隔絶されたイオン発生室87内に露出させてあり、この非記録面に第１電極１を設け、イオン発生室87の側壁に基部を固定された薄肉の板ばね22の先端部に第２電極２を支持し、この第２電極２を第１電極１に対向せしめてイオン発生装置が構成されている。第２電極２を支持する板ばね22は、図10に示す第７の実施の形態と同様、第１電極１が設けられた記録ディスク83の非記録面に接離する方向への撓み変形が可能であり、回転体としての記録ディスク83の回転に伴って発生する気流の作用により撓み、第１，第２電極１，２間に略一定のエアギャップを保つ作用をなす。また電源部４は、第１，第２電極１，２に接続された昇圧回路40と、該昇圧回路40を制御する制御部41とを備えて構成されており、モータ81の駆動制御は、記録機器の制御部の動作により行われる。
【００７３】
このように構成されたイオン発生装置においては、記録又は再生動作のために記録ディスク83が回転する都度、この記録ディスク83の非記録面に設けた第１電極１と、該第１電極１に対向する第２電極２との間にプラスイオン及びマイナスイオンが発生し、これらが外函80の内部空間に拡散され、また外函80の周辺空間に送出されて、塵埃等の浮遊物を捕捉除去する作用をなすから、記録機器８の内部空間及び周辺空間を清浄に保つことができる。
【００７４】
前記遮蔽板86は、イオン発生装置によるイオン発生動作と、記録機器８による記録再生動作との間の無為な干渉を避けるべく設けられている。この実施の形態においては、記録機器８の記録ディスク83を回転体として利用し、該記録ディスク83の非記録面に第１電極１を設けたから、部品の共用により記録機器８の大型化を最小限に抑えてイオン発生装置を並設することができ、この記録機器８が装備される情報機器内部の限定された配設スペース内に無理なく配置することができる。
【００７５】
図12において記録機器８は、図11に示す第８の実施の形態と同様、外函80の内部にモータ81、記録ディスク83及び記録再生ヘッド84を備えるハードディスク装置として構成されている。この実施の形態においてモータ81は、記録ディスク83の取り付けのために一側に突設されたモータ軸82を備えると共に、他側に突設され、遮蔽板86により仕切られたイオン発生室87内に延びる第２のモータ軸88を備えている。イオン発生装置は、第２のモータ軸88の先端に取り付けたディスク形の回転体10と、該回転体10の一面に設けた第１電極１と、イオン発生室87の側壁に基部を固定された薄肉の板ばね22の先端部に支持され、第１電極１に対向する第２電極２とを備え、イオン発生室87の内部に構成されている。他の部分の構成は、図11に示す第８の実施の形態と同様であり、対応する構成部材に図１と同一の参照符号を付して説明を省略する。
【００７６】
なお前記遮蔽板86は、モータ81を支持すると共に、イオン発生装置によるイオン発生動作と、記録機器８による記録再生動作との間の無為な干渉を避けるべく設けられており、イオン発生装置により発生されたプラスイオン及びマイナスイオンは、遮蔽板86の一部に設けた通気孔を経て記録ディスク83の配設空間内にも送り込まれるようになしてある。
【００７７】
このように構成されたイオン発生装置においては、記録又は再生動作のために記録ディスク83が回転する都度、回転駆動源としてのモータ81を共用する回転体10が回転し、該回転体10に設けられた第１電極１と、該第１電極１に対向する第２電極２との間にプラスイオン及びマイナスイオンが発生し、これらが外函80の内部空間内に拡散され、また外函80に形成された通気孔（図示せず）を経て周辺に拡散されて塵埃等の浮遊物を捕捉除去する作用をなすから、記録機器８の内部空間及び周辺空間を清浄化することができる。
【００７８】
この実施の形態においては、記録機器８の回転駆動源であるモータ81を、イオン発生装置の回転体10の回転駆動源として共用したから、図12に示す如く、記録機器８の一側にイオン発生装置をコンパクトに並設することができ、この記録機器８が装備される情報機器内部の限定された配設スペース内に無理なく配置することができる。
【００７９】
図９に示す携帯機器への適用例、及び図11、図12に示す記録機器８への適用例においては、ＵＳＢ端子、カードススロット等、搭載機器に設けられた外部接続端子を、第１，第２電極１、２間の印加電圧、及び回転体10の回転駆動源への電源供給に利用することができる。このようにすれば、専用の電源が不要となるイオン発生装置の小型化を実現することができ、特に、小型の機器への適用範囲を拡げることができる。
【００８０】
また以上の実施の形態の夫々において、回転体10の回転を開始させる場合には、第１，第２電極１，２への電圧印加を回転開始から適宜の時間だけ遅れて開始させるのが望ましい。このようにすれば、回転体10の回転に伴って発生する気流の作用により、第１，第２電極１，２の表面に付着する塵埃等の異物が除去され、また、第１，第２電極１，２の対向部間の間隔が適正に確保されるから、その後の電圧印加時における電極間リーク等の不具合の発生を未然に防止することができ、良好な条件下での速やかなイオン発生が可能となる。
【００８１】
以上の如き電圧印加の遅れは、昇圧回路40及びモータ駆動回路42に制御指令を発する制御部41の動作により容易に実現することができる。また、図11，12に示す如く、搭載機器に備えられたモータを回転体10の回転に兼用してあり、モータ駆動回路42を備えていない実施の形態においては、搭載機器の制御部からの動作指令に従う制御部41の動作により、昇圧回路40を介してなされる第１，第２電極１，２間の電圧印加の開始タイミングを遅らせることにより実現される。
【図面の簡単な説明】
【００８２】
【図１】本発明に係るイオン発生装置の第１の実施の形態を示す模式図である。
【図２】本発明に係るイオン発生装置の第２の実施の形態を示す模式図である。
【図３】本発明に係るイオン発生装置の第３の実施の形態を示す模式図である。
【図４】本発明に係るイオン発生装置の第４の実施の形態を示す模式図である。
【図５】本発明に係るイオン発生装置の第４の実施の形態を示す模式図である。
【図６】本発明に係るイオン発生装置の第４の実施の形態を示す模式図である。
【図７】本発明に係るイオン発生装置の第５の実施の形態を示す模式図である。
【図８】本発明に係るイオン発生装置の望ましい運転方法の説明図である。
【図９】本発明に係るイオン発生装置の第６の実施の形態を示す模式図である。
【図１０】本発明に係るイオン発生装置の第７の実施の形態を示す模式図である。
【図１１】本発明に係るイオン発生装置の第８の実施の形態を示す模式図である。
【図１２】本発明に係るイオン発生装置の第９の実施の形態を示す模式図である。
【符号の説明】
【００８３】
１    第１電極
２    第２電極
５    羽根
６    誘電体層
７    加振装置
８    記録機器
10    回転体
【図１】
2005268053.tif 000003
【図２】
2005268053.tif 000004
【図３】
2005268053.tif 000005
【図４】
2005268053.tif 000006
【図５】
2005268053.tif 000007
【図６】
2005268053.tif 000008
【図７】
2005268053.tif 000009
【図８】
2005268053.tif 000010
【図９】
2005268053.tif 000011
【図１０】
2005268053.tif 000012
【図１１】
2005268053.tif 000013
【図１２】
2005268053.tif 000014